(57)【特許請求の範囲】
【請求項１】
放送信号を受信し、選択して出力する受信端末と、
前記受信端末から出力されたコンテンツを表示する複数の表示装置と、
視聴状況測定サーバと、
を備え、
前記受信端末は、接続されている前記複数の表示装置のそれぞれの表示装置のメーカーと型番とを特定するためのＩＤを前記それぞれの表示装置から取得する接続機器情報取得部と、
前記出力したコンテンツの視聴履歴と前記複数の表示装置のそれぞれの表示装置がコンテンツの表示可能状態にあるか否かの履歴と前記ＩＤとを含む視聴ログを作成する視聴ログ作成部と、
該作成した前記視聴ログを前記視聴状況測定サーバに送信する送信部と、
を有し、
前記視聴状況測定サーバは、前記受信端末の前記送信部から送られてきた前記視聴ログを受信し、前記視聴ログの前記出力したコンテンツの視聴履歴から前記それぞれの表示装置ごとに、ユーザの視聴時間を算出し、前記複数の表示装置のそれぞれの表示装置が表示可能状態にあるか否かの前記それぞれの表示装置ごとの履歴により、前記算出したユーザの視聴時間の補正を行う視聴時間算出部を有することを特徴とする視聴状況測定システム。
【請求項２】
前記表示装置は、前記受信端末に接続されたテレビ機器であり、
前記視聴ログ作成部は、前記テレビ機器の電源のオン／オフまたは前記テレビ機器の入力状態の情報に基づいて、前記表示装置が表示可能状態にあるか否かの履歴を作成することを特徴とする請求項１に記載の視聴状況測定システム。
【請求項３】
前記表示装置は、前記受信端末と通信を行うモバイル端末であり、
前記視聴ログ作成部は、前記モバイル端末の視聴アプリケーションのアクティブ／非アクティブの情報または前記受信端末の前記モバイル端末に対するコンテンツの配信状態に基づいて、前記表示装置が表示可能状態にあるか否かの履歴を作成することを特徴とする請求項１に記載の視聴状況測定システム。
【請求項４】
前記受信端末は、コンテンツを録画して保存する番組保存部を有し、
前記視聴ログ作成部は、前記番組保存部への録画及び再生の履歴を視聴履歴に含めることを特徴とする請求項１に記載の視聴状況測定システム。
【発明の詳細な説明】
【技術分野】
【０００１】
本発明は、ＣＡＴＶ等のサービスにおいて視聴率又は視聴数等の視聴状況の測定を行う視聴状況測定システム、視聴状況測定サーバ及び受信端末に関する。
【背景技術】
【０００２】
ＣＡＴＶ（Cable Television）向けやＩＰ（Internet Protocol）ＴＶ向けのセットトップボックス）では、ユーザのテレビ視聴動向を把握するための視聴率や視聴数等の視聴状況の測定の仕組みが導入されている。セットトップボックスでの視聴状況測定の仕組みとしては、機器上での視聴中のチャンネルの情報を、機器がサーバに送信し、サーバ上で視聴状況として集計する。
【０００３】
サーバ上での視聴状況の集計においては、テレビ機器の電源のオン／オフやチャンネル変更がある毎に、都度データをサーバに送信する方法や、一定期間毎に、サーバ側から、セットトップボックスに対して、現在のチューナ状態を取得するメッセージを送り、視聴中のチャンネルを問い合わせる方法が用いられている。しかしながら、これらの方法では、サーバとセットトップボックスの間の通信量、通信頻度が膨大になってしまい、ネットワークの負荷が増大する。
【０００４】
それに対して、ユーザがセットトップボックスを操作した履歴として、番組視聴の開始時間と、番組視聴の終了時間をセットトップボックスのメモリに記録し、それを定期的なタイミングで、サーバに送信することで、負荷を抑えることができる。そのような仕組みを用いて、セットトップボックスによるログを収集し、収集したログから、チャンネルの視聴状況を測定することができる（非特許文献１）。
【先行技術文献】
【非特許文献】
【０００５】
【非特許文献１】ITU-T H.741.0、"IPTV application event handling: Overall aspects of audience measurement for IPTV services"、インターネット＜ＵＲＬ：http://www.itu.int/rec/T-REC-H.741.0/en＞
【発明の概要】
【発明が解決しようとする課題】
【０００６】
非特許文献１に記載されているような既存の技術では、セットトップボックスを用いたテレビ視聴について、正確に視聴状況を把握できない場合がある。例えば、セットトップボックスは常にオンにしたまま、テレビ機器の電源オン／オフを切り替えるようなユーザが存在する。このようなユーザ宅では、セットトップボックスはオンであるが、テレビ機器の電源がオフされ、セットトップボックスは番組を出力していても、テレビ画面にはその番組が映らない場合がある。また、セットトップボックスの他にゲーム機をテレビ機器に接続し、セットトップボックスは常にオンにしたまま、テレビ機器の入力切替でゲーム機の画面をテレビ機器に表示して、ゲームを楽しむようなユーザが存在する。この場合も、ユーザがゲームを楽しんでいる間、セットトップボックスは番組を出力するが、テレビ画面にはその番組が映らない。このような使い方をするユーザが一定数存在するため、従来の方法では、正確な視聴状況を把握することができなかった。
【０００７】
また、現在、タブレットやスマートフォン等、多種多様なデバイスが宅内に存在しており、テレビの視聴形態として、セットトップボックスが受信したコンテンツを、他のデバイスに配信して視聴する形態も一般的になりつつある。このような状況の中、既存の手法では、単にチューナの状態しか取得できなかったため、タブレット等も含めた視聴状態を、正しく取得することができなかった。
【０００８】
上述の課題を鑑み、本発明は、ＣＡＴＶにおいて視聴状況測定を行う場合に、確度の高い視聴状況を算出できる視聴状況測定システム、視聴状況測定サーバ及び受信端末を提供することを目的とする。
【課題を解決するための手段】
【０００９】
上述の課題を解決するために、本発明に係る視聴状況測定システムは、放送信号を受信し、選択して出力する受信端末と、前記受信端末から出力されたコンテンツを表示する表示装置と、視聴状況測定サーバとを備え、前記受信端末は、前記出力したコンテンツの視聴履歴と前記表示装置がコンテンツの表示可能状態にあるか否かの履歴とを含む視聴ログを作成する視聴ログ作成部を有し、前記視聴状況測定サーバは、前記受信端末から送られてきた前記視聴ログを受信し、前記視聴ログの前記出力したコンテンツの視聴履歴からユーザの視聴時間を算出し、前記表示装置が表示可能状態にあるか否かの履歴により、前記算出したユーザの視聴時間の補正を行う視聴時間算出部を有することを特徴とする。
【００１０】
本発明に係る視聴状況測定サーバは、出力したコンテンツの視聴履歴と表示装置がコンテンツの表示可能状態にあるか否かの履歴とを含む視聴ログを受信端末から受信する受信部と、前記受信した視聴ログを解析し、前記出力したコンテンツの視聴履歴からユーザの視聴時間を算出し、前記表示装置が表示可能状態にあるか否かの履歴により、前記算出したユーザの視聴時間の補正を行う視聴時間算出部と、前記補正したユーザの視聴時間により視聴状況の集計を行う視聴状況集計部とを備えることを特徴とする。
【００１１】
本発明に係る受信端末は、放送信号を受信し、コンテンツを選択して出力する受信端末であって、選択したコンテンツを出力する出力部と、接続又は通信を行う表示装置がコンテンツの表示可能状態にあるか否かの情報を取得する情報取得部と、前記出力したコンテンツの視聴履歴と前記表示装置がコンテンツの表示可能状態にあるか否かの履歴とを含む視聴ログを作成する視聴ログ作成部と、前記視聴ログ作成部で作成された履歴を視聴状況測定サーバに送信する送信部とを備えることを特徴とする。
【発明の効果】
【００１２】
本発明によれば、セットトップボックスは番組を出力しているが、ユーザはそのテレビ画面を視聴していないであろう期間を視聴期間から除外して、視聴時間を測定できる。これにより、確度の高い視聴状況を算出できる。
【図面の簡単な説明】
【００１３】
【図１】本発明の第１の実施形態に係る視聴状況測定システムの概略構成を示すブロック図である。
【図２】本発明の第１の実施形態に係る視聴状況測定システムにおける視聴ログの作成処理の説明図である。
【図３】本発明の第１の実施形態に係る視聴状況測定システムにおける視聴ログの一例の説明図である。
【図４】本発明の第１の実施形態に係る視聴状況測定システムにおける視聴状況の集計処理の説明に用いるフローチャートである。
【図５】本発明の第１の実施形態に係る視聴状況測定システムにおける視聴状況の集計処理の説明図である。
【図６】集計された視聴状況集計結果の一例の説明図である。
【図７】集計されたユーザ毎の利用時間の結果の一例の説明図である。
【図８】本発明の第２の実施形態に係る視聴状況測定システムの概略構成を示すブロック図である。
【図９】本発明の第２の実施形態に係る視聴状況測定システムにおけるテレビ機器情報データベースの説明図である。
【図１０】本発明の第２の実施形態に係る視聴状況測定システムにおける視聴ログの一例の説明図である。
【図１１】本発明の第２の実施形態に係る視聴状況測定システムの説明に用いるフローチャートである。
【図１２】本発明の第３の実施形態に係る視聴状況測定システムの概略構成を示すブロック図である。
【図１３】本発明の第３の実施形態に係る視聴状況測定システムにおける視聴ログの作成処理の説明図である。
【図１４】本発明の第３の実施形態に係る視聴状況測定システムにおける視聴ログの一例の説明図である。
【図１５】本発明の第３の実施形態に係る視聴状況測定システムにおける視聴状況の集計処理の説明図である。
【図１６】本発明の第４の実施形態に係る視聴状況測定システムの概略構成を示すブロック図である。
【図１７】本発明の第４の実施形態に係る視聴状況測定システムにおける視聴ログの作成処理の説明図である。
【図１８】本発明の第４の実施形態に係る視聴状況測定システムにおける視聴ログの一例の説明図である。
【図１９】本発明の第４の実施形態に係る視聴状況測定システムにおける視聴状況の集計処理の説明図である。
【発明を実施するための形態】
【００１４】
以下、本発明の実施の形態について図面を参照しながら説明する。
＜第１の実施形態＞
図１は、本発明の第１の実施形態に係る視聴状況測定システムの概略構成を示すブロック図である。図１に示すように、本発明の第１の実施形態に係る視聴状況測定システムは、セットトップボックス１１と、テレビ機器１２と、視聴状況測定サーバ１３とを備えている。
【００１５】
セットトップボックス１１は、ＣＡＴＶの受信端末であり、地上波ディジタル放送、ＢＳ（Broadcasting Satellite）放送、ＣＳ（Communication Satellite）放送等、ケーブルを介して配信されてくる多チャンネルのテレビジョン放送信号を受信し、所望のチャンネルのコンテンツを選択し、選択したコンテンツをテレビ機器１２で視聴可能な映像信号に変換して出力する。また、この実施形態では、セットトップボックス１１は、ユーザの視聴履歴を視聴ログとして保存し、視聴状況測定サーバ１３に送信する。
【００１６】
テレビ機器１２は、セットトップボックス１１からの映像信号を入力し、このセットトップボックス１１からの映像信号に基づく画面を表示する表示装置である。セットトップボックス１１とテレビ機器１２とは、例えば、ＨＤＭＩ（High-Definition Multimedia Interface）（登録商標）端子を用いて接続される。
【００１７】
視聴状況測定サーバ１３は、セットトップボックス１１から送られてきた視聴ログを受信し、視聴率や視聴数等の視聴状況を集計する。セットトップボックス１１とテレビ機器１２は、ユーザの家庭に設置される。視聴状況測定サーバ１３は、例えば、ＣＡＴＶ（Cable Television））の管理会社に設置される。
【００１８】
図１に示すように、セットトップボックス１１は、ＴＶチューナ部２１と、選局制御部２２と、視聴履歴収集部２３と、映像出力ポート２４と、接続機器情報取得部２５と、視聴ログ作成部２６と、電源情報取得部２７と、フラッシュメモリ２８と、視聴履歴送信部２９とを備えている。
【００１９】
ＴＶチューナ部２１は、地上波ディジタル放送、ＢＳ放送、ＣＳ放送等、配信されてきた各種のチャンネルの信号から、所望のコンテンツの放送を行っているチャンネルの信号を選局する。ここでは、ＴＶチューナ部２１としては、Ｎ１〜Ｎ３の３個のチューナが設けられている。これにより、３個の放送局からの信号を同時に選局することができる。なお、チューナの数は任意である。
【００２０】
選局制御部２２は、ＴＶチューナ部２１の制御を行う。視聴履歴収集部２３は、選局制御部２２からの選局情報に基づいて、視聴履歴情報を収集する。
【００２１】
映像出力ポート２４は、テレビ機器１２との接続ポートである。ここでは、映像出力ポート２４は、ＨＤＭＩのポートである。接続機器情報取得部２５は、ＨＤＭＩ  ＨＰＤ(Hot-plug Detect)と呼ばれる機能やＨＤＭＩ ＣＥＣ（Consumer Electronics Control）にて仕様化されているメッセージ（コマンド）を用いて、テレビ機器１２の電源オン／オフのステータス信号を取得する。
【００２２】
電源情報取得部２７は、セットトップボックス１１の電源情報を取得する。セットトップボックス１１は、無操作電源オフの機能を設定できる。無操作電源オフの機能とは、セットトップボックス１１が所定時間（例えば６時間）、何の操作も行われていない場合に、電源をオフする機能である。無操作電源オフの機能により電源がオフされた場合には、電源情報取得部２７は視聴ログ作成部２６に、無操作電源オフの機能による電源オフを通知する。
【００２３】
視聴ログ作成部２６は、視聴履歴収集部２３で収集された選局情報と、接続機器情報取得部２５から取得されたテレビ機器１２のオン／オフ情報と、電源情報取得部２７から取得されたセットトップボックス１１の電源のオン／オフ情報とから、視聴ログを作成する。このように、本実施形態では、視聴履歴と、テレビ機器１２及びセットトップボックス１１の電源のオン／オフ履歴とを含めて、視聴ログを作成している。この視聴ログの作成については、後に説明する。
【００２４】
フラッシュメモリ２８は、視聴ログ作成部２６で作成された視聴ログを、一定時間毎に保存する。視聴履歴送信部２９は、例えば１日１回、所定の時刻に、フラッシュメモリ２８に保存されている視聴履歴を視聴状況測定サーバ１３に送信する。
【００２５】
視聴状況測定サーバ１３は、視聴履歴情報受信部４１と、視聴開始・終了時間算出部４２と、視聴状況集計部４３と、視聴状況測定結果保存部４４とを備えている。
【００２６】
視聴履歴情報受信部４１は、セットトップボックス１１の視聴履歴送信部２９から送られてきた視聴ログを受信する。視聴開始・終了時間算出部４２は、セットトップボックス１１から受信した視聴履歴を解析し、ユーザの視聴開始時間と視聴終了時間とを算出する。この時、視聴開始・終了時間算出部４２は、前述のテレビ機器１２の電源のオン／オフ履歴を用いて、テレビ機器１２の電源オフの時間についてはユーザがその番組を視聴していない時間であるとして、ユーザの視聴時間から除外する。
【００２７】
視聴状況集計部４３は、各ユーザのセットトップボックス１１から取得された視聴履歴ログを解析し、視聴状況の集計を行う。このとき、上述のように、テレビ機器１２の電源オフの時間についてはユーザがその番組を視聴していない時間であるとして、視聴時間から除外して集計を行う。視聴状況測定結果保存部４４は、視聴状況集計部４３で集計された視聴状況の測定結果を保存する。
【００２８】
このように、本発明の第１の実施形態では、視聴ログ作成部２６で、視聴履歴収集部２３で収集された選局情報と、接続機器情報取得部２５から取得されたテレビ機器１２のオン／オフ情報と、電源情報取得部２７から取得されたセットトップボックス１１の電源のオン／オフ情報とから、視聴ログを作成している。テレビ機器１２のオン／オフ情報は、前述したように、ＨＤＭＩ  ＨＰＤやＨＤＭＩ  ＣＥＣでサポートされているメッセージ、機能を用いることによって、接続機器情報取得部２５により取得される。
【００２９】
つまり、本実施形態では、セットトップボックス１１とテレビ機器１２とは、ＨＤＭＩ端子により接続されている。ＨＤＭＩ  ＨＰＤ(Hot-plug Detect)では、２台のデバイスをＨＤＭＩで接続すると、起動時の通信シーケンスが開始される。即ち、セットトップボックス１１のような映像を送信する機器（Ｓｏｕｒｃｅ）と、テレビ機器１２のような映像を受信する機器（Ｓｉｎｋ）が接続されている際に、Ｓｉｎｋ機器の電源が投入される、あるいは、Ｓｉｎｋ機器の、Ｓｏｕｒｃｅ機器が接続されているＨＤＭＩポートが選択されると、Ｓｉｎｋ機器は、ＤＣ＋５Ｖを出力し、Ｓｏｕｒｃｅでは、この電圧の変化を検出して、Ｓｉｎｋ機器と接続されたことを認識する。また、テレビ機器１２の入力切替によって、セットトップボックス１１が接続されたＨＤＭＩからの出力が選択された場合も、この電圧の変化を検出して、Ｓｉｎｋ機器と接続されたことを認識する。逆に、セットトップボックス１１が接続されたテレビ機器１２の電源がオフになった場合や、入力切替により、その他のＨＤＭＩが選択された場合は、やはり電圧の変化を検出して、Ｓｉｎｋ機器との接続が切れたことを認識する。
【００３０】
また、ＨＤＭＩにて接続されているセットトップボックス１１とテレビ機器１２が共にＨＤＭＩ ＣＥＣをサポートしており、かつ、ＨＤＭＩ ＣＥＣにて規定されている＜Give Device Power Status＞と呼ばれるメッセージをサポートしている場合、セットトップボックス１１がテレビ機器１２に対して前述のメッセージを送出し、その応答メッセージ＜Report Power Status＞として、テレビ機器１２自身の電源に関する状態（Standby（待機状態を示す）、In transition Standby to On（待機状態から電源オン状態への移行中であることを示す）、On（電源オンの状態を示す））に関する情報を付与する形で返却されてくることにより、セットトップボックス１１は接続されたテレビ機器１２の電源状態に関する情報を取得出来る。
【００３１】
接続機器情報取得部２５は、テレビ機器１２の電源のオン／オフ状態が変化する度に、取得した時刻と、オン／オフの情報を、視聴ログ作成部２６に通知する。視聴ログ作成部２６はこの情報に基づいて、テレビ機器１２の電源オン／オフのイベントを発生させ、視聴ログに記録する。
【００３２】
次に、本発明の第１の実施形態における視聴ログの作成について説明する。図２は、セットトップボックス１１における視聴ログ作成部２６での視聴ログの作成の一例の説明図である。
【００３３】
視聴ログ作成部２６では、視聴開始や視聴終了、電源オンや電源オフによるイベントの発生を基に、視聴ログを生成している。図２において、時刻Ｔ１で、テレビ機器１２の電源がオンされたとする。このテレビ機器１２の電源オンにより、イベントＥ１が発生し、テレビ機器１２の電源オンの時刻Ｔ１が履歴として残される。
【００３４】
次に、図２において、時刻Ｔ２で、セットトップボックス１１の電源がオンされたとする。このセットトップボックス１１の電源オンにより、イベントＥ２が発生し、セットトップボックス１１の電源オンの時刻Ｔ２が履歴として残される。また、電源オン時のチューナＮ１の視聴チャンネルがＣＨ１である場合には、視聴開始のイベントＥ３が発生し、このときの時刻Ｔ２と視聴チャンネルＣＨ１とが履歴として残される。
【００３５】
時刻Ｔ３で、ユーザがチャンネル切り替えを行ったとすると、チャンネル切り替えにより、イベントＥ４が発生し、視聴終了時刻Ｔ３と視聴チャンネルＣＨ１とが履歴として残される。
【００３６】
ここで、時刻Ｔ３から時刻Ｔ４の間では、ユーザがザッピング（チャンネルを頻繁に切り替えている状態）しているとする。このようなザッピングを全てイベントとして捉えると、履歴が膨大になることから、本実施形態では、所定の閾値（例えば５秒）以内にチャンネル変更があった場合には、履歴として残さないようにしている。この例では、時刻Ｔ３から時刻Ｔ４でのチャンネル切り替えは、例えば５秒以内であり、この間のチャンネル切り替えの履歴は残されない。
【００３７】
時刻Ｔ４で、ユーザはザッピングを終了し、チューナＮ１のチャンネルＣＨ４の視聴を開始したとする。これにより、イベントＥ５が発生し、視聴開始時刻Ｔ４と視聴チャンネルＣＨ４とが履歴として残される。
【００３８】
次に、時刻Ｔ５で、ユーザがチャンネル切り替えを行ったとすると、チャンネル切り替えにより、イベントＥ６が発生し、視聴終了時刻Ｔ５と視聴チャンネルＣＨ４とが履歴として残される。
【００３９】
時刻Ｔ５で、ユーザはチューナＮ１のチャンネルＣＨ１の視聴を開始したとすると、これにより、イベントＥ７が発生し、視聴開始時刻Ｔ５と視聴チャンネルＣＨ１とが履歴として残される。
【００４０】
次に、時刻Ｔ６で、テレビ機器１２の電源がオフされたとする。このテレビ機器１２の電源オフにより、イベントＥ８が発生し、テレビ機器１２の電源オフの時刻Ｔ６が履歴として残される。
【００４１】
ここで、ユーザがセットトップボックス１１に対して何も操作をしないでいると、無操作電源オフの機能により、所定時間（例えば６時間後）に、セットトップボックス１１の電源がオフされる。無操作電源オフの機能による電源オフは、電源情報取得部２７から通知される。時刻Ｔ７で、無操作電源オフの機能により、セットトップボックス１１の電源がオフされる。これにより、イベントＥ９が発生し、視聴終了時刻Ｔ７とチャンネルＣＨ１が履歴として残される。また、イベントＥ１０が発生し、セットトップボックス１１の電源オフの時刻Ｔ７が履歴として残される。
【００４２】
図３は、上述のイベントが発生した場合の視聴ログの一例である。視聴ログ作成部２６は、テレビ機器１２の電源のオン／オフ、セットトップボックス１１の電源のオン／オフ、各チャンネルの視聴の開始／終了のイベントが発生すると、これらのイベントを基に、視聴ログを生成する。図２に示したようなイベントＥ１〜Ｅ１０が発生した場合、これらのイベントＥ１〜Ｅ１０は、視聴ログとして、図３に示すように記述される。なお、この視聴ログの記述は一例であり、視聴ログは、例えば、ＸＭＬ（Extensible Markup Language）で記述することができる。また、ＸＭＬに限らず、どのような形式で視聴ログを記述しても良い。
【００４３】
図３に示すように、視聴ログ作成部２６では、テレビ機器１２の電源オン／オフの情報を含めて、視聴ログを生成している。ここで、セットトップボックス１１側では、視聴中になっていたとしても、テレビ機器１２の電源がオフになっている期間では、セットトップボックス１１からのコンテンツはテレビ機器１２に表示されておらず、ユーザは、その番組を視聴していない可能性が高い。
【００４４】
例えば、図２において、時刻Ｔ５からＴ７では、セットトップボックス１１では、チャンネルＣＨ１の視聴期間となっている。したがって、時刻Ｔ５からＴ７では、セットトップボックス１１からは、チャンネルＣＨ１のコンテンツが出力されている。しかしながら、時刻Ｔ６で、テレビ機器１２の電源はオフされている。時刻Ｔ７では、無操作電源オフの機能によりセットトップボックス１１の電源がオフされている。これらのことから、時刻Ｔ６で、ユーザは、テレビ機器１２の電源をオフにして、チャンネルＣＨ１の番組の視聴を終了した可能性が高い。
【００４５】
このように、視聴開始及び終了履歴は、セットトップボックス１１からコンテンツが出力されている履歴であり、実際にユーザがそのコンテンツを視聴している履歴とは言えない。コンテンツを表示しているのはテレビ機器１２であり、テレビ機器１２が表示可能状態でなければ、そのコンテンツは、視聴されていない可能性が高い。テレビ機器１２の電源オン／オフの履歴は、セットトップボックス１１から出力されたコンテンツがテレビ機器１２で表示可能な状態であるかどうかを判定するための情報として用いることができる。
【００４６】
なお、本実施形態では、視聴ログ作成部２６は、ＨＤＭＩ  ＨＰＤやＨＤＭＩ ＣＥＣによるテレビ機器１２の電源オン／オフのステータス情報を取得して、このテレビ機器１２の電源オンや電源オフのイベントの発生を検知している。前述したように、この場合、テレビ機器１２の電源がオフされていなくても、ビデオ入力が切り替えられた場合にも、視聴ログ作成部２６側では、電源オフのイベントが発生する。例えば、ユーザが、テレビゲームを行うためにテレビ機器１２のビデオ入力を切り替えた場合等にも、視聴ログ作成部２６側では、ビデオ入力が切り替えられた時点で、テレビ機器１２の電源がオフされたと判定されることになる。なお、テレビ機器１２の電源オン／オフの情報は、前述の方法以外で取得しても良い。
【００４７】
次に、視聴状況測定サーバ１３での視聴状況の集計処理について説明する。図４は、視聴状況測定サーバ１３の視聴開始・終了時間算出部４２での視聴時間の集計処理の説明に用いるフローチャートである。
【００４８】
上述のように、セットトップボックス１１からは、テレビ機器１２の電源のオン／オフ、セットトップボックス１１の電源のオン／オフ、視聴の開始／終了をイベントして作成された視聴ログが送られてくる。視聴開始・終了時間算出部４２は、この視聴ログの情報から、以下のように、ユーザの視聴時間を算出する。
【００４９】
つまり、図４にフローチャートで示すように、視聴開始・終了時間算出部４２は、視聴ログを読み込み（ステップＳ１）、読み込んだ視聴ログ中の視聴開始のイベントと視聴終了イベントから、そのチャンネルの視聴時間を算出する（ステップＳ２）。全ての視聴開始イベント及び視聴終了イベントについて、視聴時間が算出されたか否かを判定し（ステップＳ３）、全ての視聴開始イベント及び視聴終了イベントについて視聴時間が算出されていなければ（ステップＳ３：Ｎｏ）、視聴開始・終了時間算出部４２は、ステップＳ２に処理をリターンし、各チャンネルの視聴時間を算出する処理を繰り返す。
【００５０】
ステップＳ３で、全ての視聴開始イベント及び視聴終了イベントについて視聴時間が算出されたと判定されたら（ステップＳ３：Ｙｅｓ）、視聴開始・終了時間算出部４２は、テレビ機器１２の電源オフのイベントから、テレビ機器１２のオフの期間を算出する（ステップＳ４）。そして、視聴開始・終了時間算出部４２は、ステップＳ２で算出された各チャンネルの視聴開始時間から、ステップＳ４で算出されたテレビ機器１２のオフの期間を除外して、視聴時間を修正する（ステップＳ５）。
【００５１】
例えば、図３に示したような視聴ログが受信されたとする。視聴開始・終了時間算出部４２は、この視聴ログから、視聴開始のイベントとそのチャンネルに対応する視聴終了イベントを検索し、そのチャンネルの視聴時間を算出する。これにより、図５（Ａ）に示すように、各チャンネルの視聴時間の情報が得られる。
【００５２】
次に、この視聴ログから、テレビ機器１２の電源オフ期間を算出する。これにより、時刻Ｔ６以降が、テレビ機器１２の電源オフ期間として算出される。電源オフ期間が算出されたら、上述の各チャンネルの視聴時間の情報から、テレビ機器１２の電源オフ期間を除外する。これにより、各チャンネルの視聴時間は、図５（Ｂ）に示すように補正される。
【００５３】
図５（Ａ）では、時刻Ｔ５から時刻Ｔ７がチャンネルＣＨ１の視聴期間となっているが、時刻Ｔ６から後は、テレビ機器１２の電源オフ期間であるので、図５（Ｂ）に示すように、時刻Ｔ５から時刻Ｔ６がチャンネルＣＨ１の視聴期間として補正される。
【００５４】
図６は、視聴状況測定結果保存部４４で集計された視聴状況集計結果の一例である。この例は、時間推移と各チャンネルの視聴者数の変化を示したものである。即ち、１分毎の、各チャンネルの視聴ユーザ数を示したものである。本実施形態では、このような時間推移と各チャンネルの視聴者数の変化を集計する際に、テレビ機器１２の電源オフ期間を除外して、各チャンネルの視聴時間を集計している。これにより、確度の高い視聴状況推計を集計できる。
【００５５】
また、図７は、各ユーザ毎の利用時間を集計したものである。図７に示す集計結果には、各ユーザのセットトップボックス１１の総利用時間と、テレビ機器１２の電源オフ期間を除外したセットトップボックス１１の総利用時間と、テレビ機器１２の電源オフ期間を除外したセットトップボックス１１の映像視聴時間の情報を含んでいる。本実施形態では、このように、テレビ機器１２の電源オフ期間を除外することで、より確度の高い利用時間を集計できる。
【００５６】
このように、本発明の第１の実施形態では、ユーザの視聴状況を正確に測定することが可能となる。これにより、以下のような効果が期待できる。
【００５７】
ケーブルテレビにおいては、限られた周波数で多くの番組を配信するため、人気のあるチャンネルは通常通り放送し、人気のないチャンネルは、ＳＤＶ(スイッチドデジタルビデオ)などの技術を用いて、オンデマンド型の配信に切り替えることで、効率化を図っている。視聴状況を正確に把握することで、番組編成の精度を向上させることができる。
【００５８】
ユーザがセットトップボックス１１を利用しているかどうかを、正確に取得することが可能となる。ケーブルテレビに加入したが、セットトップボックス１１を利用していないユーザに対しては、使い方や、適切な料金プランの案内等、能動的なサポートを行うことで、満足度の向上を図ることができる。
【００５９】
＜第２の実施形態＞
図８は、本発明の第２の実施形態に係る視聴状況測定システムの概略構成を示すブロック図である。図８に示すように、本発明の第２の実施形態に係る視聴状況測定システムは、セットトップボックス１１１と、テレビ機器１１２と、視聴状況測定サーバ１１３とを備えている。
【００６０】
セットトップボックス１１１は、ＴＶチューナ部１２１と、選局制御部１２２と、視聴履歴収集部１２３と、映像出力ポート１２４と、接続機器情報取得部１２５と、視聴ログ作成部１２６と、電源情報取得部１２７と、フラッシュメモリ１２８と、視聴履歴送信部１２９とを備えている。
【００６１】
ＴＶチューナ部１２１、選局制御部１２２、視聴履歴収集部１２３、映像出力ポート１２４、接続機器情報取得部１２５、視聴ログ作成部１２６、電源情報取得部１２７、フラッシュメモリ１２８、視聴履歴送信部１２９は、第１の実施形態における、ＴＶチューナ部２１、選局制御部２２、視聴履歴収集部２３、映像出力ポート２４、接続機器情報取得部２５、視聴ログ作成部２６、電源情報取得部２７、フラッシュメモリ２８、視聴履歴送信部２９と同様に構成される。更に、本実施形態では、接続機器情報取得部１２５は、ＨＤＭＩのＥＤＩＤ(Extended Display Identification Data)によって、接続されているテレビ機器１２のメーカーと型番を特定するためのＩＤを取得する。
【００６２】
視聴状況測定サーバ１１３は、視聴履歴情報受信部１４１と、視聴開始・終了時間算出部１４２と、視聴状況集計部１４３と、視聴状況測定結果保存部１４４と、ＴＶ機器情報データベース１４５とを備えている。視聴履歴情報受信部１４１、視聴開始・終了時間算出部１４２、視聴状況集計部１４３、視聴状況測定結果保存部１４４は、第１の実施形態における、視聴履歴情報受信部４１、視聴開始・終了時間算出部４２、視聴状況集計部４３、視聴状況測定結果保存部４４と同様に構成される。本実施形態では、更に、ＴＶ機器情報データベース１４５を有している。ＴＶ機器情報データベース１４５には、テレビ機器１１２のメーカー及び型番と、ＨＤＭＩ  ＨＰＤによる電源検出の可否の情報とが対応付けて記録されている。
【００６３】
前述の第１の実施形態では、ＨＤＭＩ  ＨＰＤから、テレビ機器の電源オフの期間を判定している。しかしながら、一部のテレビ機器では、ＨＤＭＩ  ＨＰＤで、正しくテレビの電源ステータスが取得できない場合がある。特に、テレビ機器の高速起動を行うため、テレビ機器側がスタンバイ状態であっても、ＨＤＭＩ  ＨＰＤ情報としては、常にオンを返す機器などが一部で存在する。セットトップボックス１１１に接続されているテレビ機器１１２が、このようにＨＤＭＩ  ＨＰＤに未対応の場合、ＨＤＭＩ  ＨＰＤの情報からテレビ機器１１２の電源オフ期間を判定して、テレビ機器１１２の電源オフの期間、視聴期間から除外しても、正確な視聴状況は算出できない。
【００６４】
そこで、本発明の第２の実施形態では、視聴状況測定サーバ１１３に、ＴＶ機器情報データベース１４５が設けられる。このＴＶ機器情報データベース１４５には、図９に示すように、テレビ機器１１２のメーカー及び型番と、ＨＤＭＩのＥＤＩＤと、ＨＤＭＩ  ＨＰＤによる電源検出の可否の情報とが対応付けて記録されている。
【００６５】
セットトップボックス１１１の接続機器情報取得部１２５は、テレビ機器１１２がオンされるときに、テレビ機器１１２のＥＤＩＤ情報を取得する。そして、図１０に示すように、テレビ機器の電源オン時のイベントＥ１に、セットトップボックス１１１に接続されたテレビ機器１１２のメーカー及び型番の情報が含められる。そして、この視聴ログがセットトップボックス１１１から視聴状況測定サーバ１１３に送られる。
【００６６】
図１１は、テレビ機器１１２の情報を含む視聴ログを受信した場合の視聴開始・終了時間算出部１４２の処理を示すフローチャートである。
【００６７】
図１１にフローチャートで示すように、視聴開始・終了時間算出部１４２は、視聴ログからテレビ機器１１２のメーカー及び型番の情報を取得すると（ステップＳ１０１）、ＴＶ機器情報データベース１４５を検索し（ステップＳ１０２）、そのテレビ機器１１２がＨＤＭＩ  ＨＰＤによる電源検出に対応しているか否かを判定する（ステップＳ１０３）。テレビ機器１１２がＨＤＭＩ  ＨＰＤによる電源検出に対応している場合には（ステップＳ１０３：Ｙｅｓ）、視聴開始・終了時間算出部１４２は、各チャンネルの視聴開始時間からテレビ機器１１２のオフの期間を除外して視聴時間を算出する（ステップＳ１０４）。テレビ機器１１２がＨＤＭＩ  ＨＰＤによる電源検出に対応していない場合には（ステップＳ１０３：Ｎｏ）、視聴開始・終了時間算出部１４２は、算出された各チャンネルの視聴開始時間をそのまま各チャンネルの視聴時間として処理する（ステップＳ１０５）。
【００６８】
以上説明したように、本発明の第２の実施形態では、視聴状況測定サーバ１１３に、テレビ機器１１２がＨＤＭＩ  ＨＰＤによる電源検出の可否に対応しているか否かを示すＴＶ機器情報データベース１４５が設けられ、このＴＶ機器情報データベース１４５により、セットトップボックス１１１に接続されたテレビ機器１１２がＨＤＭＩ  ＨＰＤによる電源検出に対応しているか否かが判定される。これにより、セットトップボックス１１１に接続されたテレビ機器１１２がＨＤＭＩ  ＨＰＤによる電源検出に対応していない場合でも、視聴状況の判定精度を維持できる。
【００６９】
なお、上述の例では、ＴＶ機器情報データベース１４５には、テレビ機器のメーカー及び型番と、ＨＤＭＩのＥＤＩＤと、ＨＤＭＩ  ＨＰＤによる電源検出の可否の情報とが対応付けて記録しているが、ＨＤＭＩ  ＨＰＤによる電源検出に未対応のテレビ機器のみＴＶ機器情報データベース１４５に保存しておき、視聴ログから抽出されたテレビ機器１１２の情報から、そのテレビ機器の情報がＴＶ機器情報データベース１４５にあるか否かにより、セットトップボックス１１１に接続されたテレビ機器１１２がＨＤＭＩ  ＨＰＤによる電源検出に対応しているかどうかを判定しても良い。
【００７０】
＜第３の実施形態＞
図１２は、本発明の第３の実施形態に係る視聴状況測定システムの概略構成を示すブロック図である。図１２に示すように、本発明の第３の実施形態に係る視聴状況測定システムは、セットトップボックス２１１と、テレビ機器２１２と、視聴状況測定サーバ２１３とを備えている。
【００７１】
セットトップボックス２１１は、ＴＶチューナ部２２１と、選局制御部２２２と、視聴履歴収集部２２３と、映像出力ポート２２４と、接続機器情報取得部２２５と、視聴ログ作成部２２６と、電源情報取得部２２７と、フラッシュメモリ２２８と、視聴履歴送信部２２９と、録画制御部２３０と、番組保存部２３１とを備えている。
【００７２】
ＴＶチューナ部２２１、選局制御部２２２、視聴履歴収集部２２３、映像出力ポート２２４、接続機器情報取得部２２５、視聴ログ作成部２２６、電源情報取得部２２７、フラッシュメモリ２２８、視聴履歴送信部２２９は、第２の実施形態における、ＴＶチューナ部１２１、選局制御部１２２、視聴履歴収集部１２３、映像出力ポート１２４、接続機器情報取得部１２５、視聴ログ作成部１２６、電源情報取得部１２７、フラッシュメモリ１２８、視聴履歴送信部１２９と同様に構成される。更に、本実施形態では、セットトップボックス２１１は、番組の録画を制御する録画制御部２３０と、録画された番組を保存する番組保存部２３１とを備えている。
【００７３】
視聴状況測定サーバ２１３は、視聴履歴情報受信部２４１と、視聴開始・終了時間算出部２４２と、視聴状況集計部２４３と、視聴状況測定結果保存部２４４と、ＴＶ機器情報データベース２４５とを備えている。視聴履歴情報受信部２４１、視聴開始・終了時間算出部２４２、視聴状況集計部２４３、視聴状況測定結果保存部２４４は、第２の実施形態における、視聴履歴情報受信部１４１、視聴開始・終了時間算出部１４２、視聴状況集計部１４３、視聴状況測定結果保存部１４４、ＴＶ機器情報データベース１４５と同様に構成される。
【００７４】
図１３は、本発明の第３の実施形態での視聴ログの作成の一例の説明図である。図１３において、時刻Ｔ１０１で、テレビ機器２１２の電源がオンされたとする。このテレビ機器２１２の電源オンにより、イベントＥ１０１が発生し、テレビ機器２１２の電源オンの時刻Ｔ１０１が履歴として残される。
【００７５】
時刻Ｔ１０２で、セットトップボックス２１１の電源がオンされたとする。このセットトップボックス２１１の電源オンにより、イベントＥ１０２が発生し、セットトップボックス２１１の電源オンの時刻Ｔ１０２が履歴として残される。また、電源オン時のチューナＮ１の視聴チャンネルがＣＨ１である場合には、視聴開始のイベントＥ１０３が発生し、このときの時刻Ｔ１０２と視聴チャンネルＣＨ１とが履歴として残される。
【００７６】
時刻Ｔ１０３で、ユーザがチャンネル切り替えを行ったとすると、チャンネル切り替えにより、イベントＥ１０４が発生し、視聴終了時刻Ｔ１０３と視聴チャンネルＣＨ１とが履歴として残される。
【００７７】
ここで、時刻Ｔ１０３から時刻Ｔ１０４の間では、ユーザがザッピングしているとする。この例では、時刻Ｔ１０３から時刻Ｔ１０４でのチャンネル切り替えは、例えば５秒以内であり、この間のチャンネル切り替えの履歴は残されない。
【００７８】
時刻Ｔ１０４で、ユーザはザッピングを終了し、チューナＮ１のチャンネルＣＨ４の視聴を開始したとする。これにより、イベントＥ１０５が発生し、視聴開始時刻Ｔ１０４と視聴チャンネルＣＨ４とが履歴として残される。
【００７９】
時刻Ｔ１０５で、チューナＮ２により、チャンネルＣＨ２の予約録画が開始されたとする。これにより、イベントＥ１０６が発生し、録画開始時刻Ｔ１０５と録画チャンネルＣＨ２とが履歴として残される。
【００８０】
時刻Ｔ１０６で、チューナＮ２により、チャンネルＣＨ２の予約録画が終了したとする。これにより、イベントＥ１０７が発生し、録画終了時刻Ｔ１０６と録画チャンネルＣＨ２とが履歴として残される。
【００８１】
次に、時刻Ｔ１０７で、ユーザが番組の視聴を終了し、録画の再生を開始したとする。ユーザが番組の視聴を終了により、イベントＥ１０８が発生し、視聴終了時刻Ｔ１０７と視聴チャンネルＣＨ４とが履歴として残される。また、時刻Ｔ１０７で、ユーザの再生開始により、イベントＥ１０９が発生し、再生開始時刻Ｔ１０７と再生番組のチャンネルＣＨ２（番組）とが履歴として残される。
【００８２】
次に、時刻Ｔ１０８で、テレビ機器２１２の電源がオフされたとする。このテレビ機器２１２の電源オフにより、イベントＥ１１０が発生し、テレビ機器１１２の電源オフの時刻Ｔ１０８が履歴として残される。
【００８３】
時刻Ｔ１０９で、番組の再生が終了すると、イベントＥ１１１が発生し、再生終了時刻Ｔ１０９と再生番組のチャンネルＣＨ２（番組）とが履歴として残される。また、時刻Ｔ１０９で、録画再生が終了すると、チャンネルＣＨ４の視聴が開始される。これにより、イベントＥ１１２が発生し、視聴開始時刻Ｔ１０９と視聴チャンネルＣＨ４とが履歴として残される。
【００８４】
ユーザがセットトップボックス２１１に対して何も操作をしないでいると、無操作電源オフの機能により、所定時間（例えば６時間後）に、セットトップボックス２１１の電源がオフされる。時刻Ｔ１１０で、無操作電源オフの機能により、セットトップボックス２１１の電源がオフされると、イベントＥ１１３が発生し、チャンネルＣＨ４の視聴終了時刻Ｔ１１０が履歴として残される。これと共に、イベントＥ１１４が発生し、セットトップボックス２１１の電源オフの時刻Ｔ１１０が履歴として残される。
【００８５】
図１４は、上述のイベントが発生した場合の視聴ログの一例である。視聴ログ作成部２２６は、テレビ機器２１２の電源のオン／オフ、セットトップボックス２１１の電源のオン／オフ、各チャンネルの視聴の開始／終了、録画開始／終了、再生開始／終了のイベントが発生すると、これらのイベントを基に、視聴ログを生成する。図１３に示したようなイベントＥ１０１〜Ｅ１１４が発生した場合、これらのイベントＥ１０１〜Ｅ１１４は、視聴ログとして、図１４に示すように記述される。
【００８６】
図１５は、このような視聴ログを受信した場合の視聴状況測定サーバ２１３での視聴状況の集計処理結果を示すものである。図１４に示したような視聴ログが受信されたとすると、視聴開始・終了時間算出部２４２は、この視聴ログから、視聴開始のイベントとそのチャンネルに対応する視聴終了イベントを検索し、そのチャンネルの視聴時間を算出する。また、録画開始のイベントと録画終了イベント、及び再生開始のイベントと再生終了イベントを検索し、番組の録画時間及び再生時間を算出する。これにより、図１５（Ａ）に示すように、各チャンネルの視聴時間の情報が得られる。
【００８７】
次に、この視聴ログから、テレビ機器２１２の電源オフ期間を算出する。これにより、時刻Ｔ１０８以降が、テレビ機器２１２の電源オフ期間として算出される。電源オフ期間が算出されたら、上述の各チャンネルの視聴時間の情報から、テレビ機器２１２の電源オフ期間を除外する。これにより、各チャンネルの視聴時間は、図１５（Ｂ）に示すようになる。
【００８８】
図１５（Ａ）では、時刻Ｔ１０７から時刻Ｔ１０９がチャンネルＣＨ２の番組の再生期間となっているが、時刻Ｔ１０８から後は、テレビ機器１１２の電源オフ期間であるので、図１５（Ｂ）に示すように、時刻Ｔ１０７から時刻Ｔ１０８がチャンネルＣＨ２の番組の再生期間として補正される。また、図１５（Ａ）では、時刻Ｔ１０９から時刻Ｔ１１０がチャンネルＣＨ４の視聴期間となっているが、時刻Ｔ０８から後は、テレビ機器２１２の電源オフ期間であるので、この間の視聴は除外される。
【００８９】
以上説明したように、本実施形態では、番組の視聴ばかりでなく、録画した番組を再生する場合にも、テレビ機器１１２の電源オフ期間を視聴時間から除外して視聴状況を集計している。これにより、録画を再生した番組についても、確度の高い利用時間を集計できる。なお、上述の説明では、番組保存部２３１をセットトップボックス２１１内に設けているが、番組保存部２３１を例えばＮＡＳ（Network Attached Storage）のように構成し、セットトップボックス２１１外部に設けるようにしても良い。
【００９０】
＜第４の実施形態＞
図１６は、本発明の第４の実施形態に係る視聴状況測定システムの概略構成を示すブロック図である。図１６に示すように、本発明の第４の実施形態に係る視聴状況測定システムは、セットトップボックス３１１と、テレビ機器３１２と、視聴状況測定サーバ３１３と。モバイル端末３１４と、を備えている。
【００９１】
セットトップボックス３１１は、ＴＶチューナ部３２１と、選局制御部３２２と、視聴履歴収集部３２３と、映像出力ポート３２４と、接続機器情報取得部３２５と、視聴ログ作成部３２６と、電源情報取得部３２７と、フラッシュメモリ３２８と、視聴履歴送信部３２９と、録画制御部３３０と、番組保存部３３１と、視聴指示受付部３３２と、コンテンツ送出部３３３とを備えている。
【００９２】
ＴＶチューナ部３２１、選局制御部３２２、視聴履歴収集部３２３、映像出力ポート３２４、接続機器情報取得部３２５、視聴ログ作成部３２６、電源情報取得部３２７、フラッシュメモリ３２８、視聴履歴送信部３２９、録画制御部３３０、番組保存部３３１は、第３の実施形態における、ＴＶチューナ部２２１、選局制御部２２２、視聴履歴収集部２２３、映像出力ポート２２４、接続機器情報取得部２２５、視聴ログ作成部２２６、電源情報取得部２２７、フラッシュメモリ２２８、視聴履歴送信部２２９、録画制御部２３０、番組保存部２３１と同様に構成される。更に、本実施形態では、セットトップボックス３１１は、視聴指示受付部３３２と、コンテンツ送出部３３３とを備える。視聴指示受付部３３２は、モバイル端末３１４からの視聴指示を受け付け、指示されたチャンネルの選局制御を行う。コンテンツ送出部３３３は、モバイル端末３１４にコンテンツを送信する。
【００９３】
視聴状況測定サーバ３１３は、視聴履歴情報受信部３４１と、視聴開始・終了時間算出部３４２と、視聴状況集計部３４３と、視聴状況測定結果保存部３４４と、ＴＶ機器情報データベース３４５とを備えている。視聴履歴情報受信部３４１、視聴開始・終了時間算出部３４２、視聴状況集計部３４３、視聴状況測定結果保存部３４４、ＴＶ機器情報データベース３４５は、第３の実施形態における、視聴履歴情報受信部２４１、視聴開始・終了時間算出部２４２、視聴状況集計部２４３、視聴状況測定結果保存部２４４、ＴＶ機器情報データベース２４５と同様に構成される。
【００９４】
モバイル端末３１４は、コンテンツ再生部３５１と、視聴指示送出部３５２と、タッチスクリーン３５３と、アプリケーションアクティブ検出部３５４とを備えている。タッチスクリーン３５３は、液晶パネル上にタッチパネルを配設したものである。視聴指示送出部３５２は、タッチスクリーン３５３からの入力に応じて、セットトップボックス３１１に視聴指示を送信する。コンテンツ再生部３５１は、セットトップボックス３１１から送られてきたコンテンツを再生し、タッチスクリーン３５３に表示する。アプリケーションアクティブ検出部３５４は、モバイル端末３１４上で動作しているアプリケーションプログラムのうちアクティブになっているものを検出する。
【００９５】
本実施例では、セットトップボックス３１１は、タブレット・スマートフォンなどのモバイル端末３１４に対して、宅内での配信を行う機能を備えている。セットトップボックス３１１は、通常のテレビ機器３１２への出力機能に加え、Ｗｉ−Ｆｉなど（宅内ネットワークには、有線イーサネット（登録商標）接続、ＭｏＣＡ (Multimedia over Coax Alliance等も利用可能）のネットワーク機能によって、宅内のネットワークに接続している。また、タブレットやスマートフォンなどのモバイル端末３１４が、同様に宅内ネットワークに接続している。このモバイル端末３１４が、テレビ機器３１２と共に表示装置となる。
【００９６】
なお、この例では、モバイル端末３１４を宅内ネットワークに接続しているが、モバイル端末３１４を公衆無線ＬＡＮやＬＴＥ（Long Term Evolution）等の携帯電話回線を介してセットトップボックス３１１に接続可能とし、モバイル端末３１４を宅外に持ち出し、宅外からのアクセスを可能としても良い。
【００９７】
この例では、セットトップボックス３１１のＴＶチューナ部３２１が現在受信可能な番組を、ＤＬＮＡ（Digital Living Network Alliance guideline）規格に従った通信で、モバイル端末３１４に配信する。ここで、セットトップボックス３１１はＤＬＮＡでのＤＭＳ（Digital Media Server）に相当し、タブレットはＤＬＮＡでのＤＭＰ（Digital Media player）に相当する。
【００９８】
モバイル端末３１４は、セットトップボックス３１１から視聴可能なチャンネルの一覧をＵＰｎＰ（Universal Plug and Play）によって取得し、ユーザに視聴可能なチャンネル一覧を提示する。ユーザが、視聴したいチャンネルを選択すると、モバイル端末３１４からセットトップボックス３１１に対してコンテンツ取得要求が送られる。セットトップボックス３１１は、コンテンツ取得要求を受けると、ＴＶチューナ部３２１の空いているテレビ番組を選局受信すると共に、この番組の情報をＩＰ（Internet Protocol）パケットに乗せて、モバイル端末３１４に対して配信する。モバイル端末３１４で番組を視聴中に、ユーザからの入力により、チャンネルの切り替えや視聴終了が選択された場合も、同様に、モバイル端末３１４から要求が送信され、セットトップボックス３１１で受信を切り替えることとなる。
【００９９】
具体的には、モバイル端末３１４の視聴指示送出部３５２から、セットトップボックス３１１に対してコンテンツ取得要求が送出された際に、セットトップボックス３１１では、視聴指示受付部３３２で、指示を受けた時刻情報に加え、要求メッセージに記載されているUser-AgentとＭＡＣ（Media Access Control Address）アドレスを取得する。
【０１００】
視聴履歴収集部３２３は、ＴＶチューナ部３２１から、選局結果と、選局した際に利用したチューナの番号を取得し、これらの情報を含めて、視聴ログとして、視聴状況測定サーバ３１３に送出する。
【０１０１】
また、モバイル端末３１４上で、ＤＬＮＡ視聴アプリケーションが動いている場合でも、必ずしもその画面がモバイル端末３１４上に出力されているとは限らない。即ち、マルチタスク、マルチウィンドウのＯＳ（Operating System）でモバイル端末３１４が動作している場合、ＤＬＮＡ視聴アプリケーションが動作したまま、他のアプリケーションが全画面表示された場合、ＤＬＮＡ視聴アプリケーションは、他のアプリケーションの配下に隠れてしまい、視聴されていない。単純にセットトップボックス３１１側で映像の配信開始・終了のみから視聴状況を算出した場合、こうした実際は視聴されていない時間が、視聴とカウントされてしまう。
【０１０２】
そこで、この実施形態では、モバイル端末３１４から、モバイル端末３１４上のＤＬＮＡ視聴アプリケーションが、アクティブに表示されているかどうかを、視聴ログに含めている。モバイル端末３１４上のアプリケーションアクティブ検出部３５４では、ＤＬＮＡ視聴アプリケーションが非アクティブであるとの通知を受け取った場合に、ＤＬＮＡ視聴アプリケーションが他のアプリケーションによって隠されたと判断し、視聴アプリケーションのフォーカスが外れたことをイベントしてセットトップボックス３１１に通知する。セットトップボックス３１１では、モバイル端末３１４からの通知を受け、視聴ログに記述する。
【０１０３】
なお、ＤＬＮＡ視聴アプリケーションのアクティブ／非アクティブを検出する他、セットトップボックス３１１からのＤＬＮＡストリーム配信の有無の情報を視聴ログに含めるようにしても良い。どの端末にストリームを送信しているかは、番組配信要求のあった端末情報（ＭＡＣアドレス、ＵｓｅＡｇｅｎｔ，フレンドリーＮａｍｅ）を組み合わせて保持しておけば特定可能である。
【０１０４】
図１７は、本発明の第４の実施形態での視聴ログの作成の一例の説明図である。図１７において、時刻Ｔ３０１で、テレビ機器３１２の電源がオンされたとする。このテレビ機器３１２の電源オンにより、イベントＥ３０１が発生し、テレビ機器３１２の電源オンの時刻Ｔ３０１が履歴として残される。
【０１０５】
時刻Ｔ３０２で、セットトップボックス３１１の電源がオンされたとする。このセットトップボックス３１１の電源オンにより、イベントＥ３０２が発生し、セットトップボックス３１１の電源オンの時刻Ｔ３０２が履歴として残される。また、電源オン時のチューナＮ１の視聴チャンネルがＣＨ１である場合には、視聴開始のイベントＥ３０３が発生し、このときの時刻Ｔ３０２と視聴チャンネルＣＨ１とが履歴として残される。
【０１０６】
時刻Ｔ３０３で、テレビ機器３１２を見ているユーザがチャンネルをＣＨ４に切り替えたとする。これにより、イベントＥ３０４が発生し、視聴終了時刻Ｔ３０３と視聴チャンネルＣＨ１とが履歴として残されると共に、イベントＥ３０５が発生し、視聴開始時刻Ｔ３０３と視聴チャンネルＣＨ４とが履歴として残される。
【０１０７】
時刻Ｔ３０４で、モバイル端末３１４のユーザがセットトップボックス３１１に配信要求を送り、チューナＮ２のチャンネルＣＨ２の番組の視聴がモバイル端末３１４で開始されたとする。これにより、イベントＥ３０６が発生し、モバイル視聴開始時刻Ｔ３０４とチューナＮ２の視聴チャンネルＣＨ２とが履歴として残される。また、このとき、ＤＬＮＡ視聴アプリケーションがアクティブになっていると、イベントＥ３０７が発生し、フォーカスオンの開始時刻Ｔ３０４が履歴として残される。
【０１０８】
時刻Ｔ３０５で、モバイル端末３１４のユーザが、テレビの再生を継続したまま、他のアプリケーションを開始したとする。他のアプリケーションにより、ＤＬＮＡ視聴アプリケーションが非アクティブになると、イベントＥ３０８が発生し、フォーカスオフの開始時刻Ｔ３０５が履歴として残される。
【０１０９】
時刻Ｔ３０６で、モバイル端末３１４のユーザが他のアプリケーションを停止し、テレビの視聴を再開したとする。テレビの視聴の再開により、ＤＬＮＡ視聴アプリケーションがアクティブになると、イベントＥ３０９が発生し、フォーカスオンの開始時刻Ｔ３０６が履歴として残される。
【０１１０】
時刻Ｔ３０７で、モバイル端末３１４のユーザがテレビの視聴を停止したとする。テレビの視聴の停止により、ＤＬＮＡ視聴アプリケーションが非アクティブ（ウィンドウが閉じる）になると、イベントＥ３１０が発生し、フォーカスオフの開始時刻Ｔ３０７が履歴として残される。これと共に、イベントＥ３１１が発生し、モバイル視聴終了時刻Ｔ３０７とチューナＮ２の視聴チャンネルＣＨ２とが履歴として残される。
【０１１１】
次に、時刻Ｔ３０８で、テレビ機器３１２のユーザがチャンネル４の番組の視聴を終了し、テレビ機器３１２の電源をオフし、セットトップボックス３１１の電源をオフしたとする。チャンネル４の番組の視聴の終了により、イベントＥ３１２が発生し、視聴終了時刻Ｔ３０８と視聴チャンネルＣＨ４とが履歴として残される。また、テレビ機器３１２の電源オフにより、イベントＥ３１３が発生し、テレビ機器３１２の電源オフの時刻Ｔ３０８が履歴として残される。また、セットトップボックス３１１の電源オフにより、イベントＥ３１４が発生し、セットトップボックス３１１の電源オフの時刻Ｔ３０８が履歴として残される。
【０１１２】
図１８は、上述のイベントが発生した場合の視聴ログの一例である。視聴ログ作成部３２６は、テレビ機器３１２の電源のオン／オフ、セットトップボックス３１１の電源のオン／オフ、各チャンネルの視聴の開始／終了のイベント、及びモバイル端末３１４のＤＬＮＡ視聴アプリケーションのフォーカスオン／オフイベントが発生すると、これらのイベントを基に、視聴ログを生成する。図１７に示したようなイベントＥ３０１〜Ｅ３１４が発生した場合、これらのイベントＥ３０１〜Ｅ３１４は、視聴ログとして、図１８に示すように記述される。
【０１１３】
図１９は、このような視聴ログを受信した場合の視聴状況測定サーバ２１３での視聴状況の集計処理結果を示すものである。図１８に示したような視聴ログが受信されたとすると、視聴開始・終了時間算出部３４２は、この視聴ログから、視聴開始のイベントとそのチャンネルに対応する視聴終了イベントを検索し、そのチャンネルの視聴時間を算出する。これにより、図１９（Ａ）に示すように、各チャンネルの視聴時間の情報が得られる。次に、この視聴ログから、テレビ機器３１２の電源オフ期間、及びモバイル端末３１４のＤＬＮＡ視聴アプリケーションのフォーカスオフ期間を算出する。これにより、時刻Ｔ３０５〜Ｔ３０６が、モバイル端末３１４のＤＬＮＡ視聴アプリケーションのフォーカスオフ期間として算出される。テレビ機器３１２の電源オフ期間、及びモバイル端末３１４のＤＬＮＡ視聴アプリケーションのフォーカスオフ期間が算出されたら、上述の各チャンネルの視聴時間の情報から、テレビ機器３１２の電源オフ期間、及びモバイル端末３１４のＤＬＮＡ視聴アプリケーションのフォーカスオフ期間を除外する。これにより、各チャンネルの視聴時間は、図１９（Ｂ）に示すようになる。
【０１１４】
図１９（Ａ）では、時刻Ｔ３０４〜時刻Ｔ３０７がモバイル端末３１４でのチャンネルＣＨ２の視聴期間となっているが、時刻Ｔ３０５〜時刻Ｔ３０６では、モバイル端末３１４のＤＬＮＡ視聴アプリケーションのフォーカスはオフとなっている。このため、図１９（Ｂ）に示すように、時刻Ｔ３０５から時刻Ｔ３０６の視聴期間は除外される。したがって、モバイル端末３１４でのチャンネルＣＨ２の視聴期間は、時刻Ｔ３０４から時刻Ｔ３０５と、時刻Ｔ３０６から時刻Ｔ３０７となる。
【０１１５】
以上説明したように、本実施形態では、モバイル端末３１４で番組を視聴する際に、モバイル端末３１４のＤＬＮＡ視聴アプリケーションがフォーカスオフ（非アクティブ）になっている間は、ＤＬＮＡ視聴アプリケーションは他のアプリケーションの配下に隠れてしまい、番組は視聴されていないとして、視聴時間から除外して視聴状況を集計している。即ち、本実施形態では、フォーカスオン／オフのイベントを、セットトップボックス３１１から出力されたコンテンツがモバイル端末３１４で表示可能な状態であるかどうかを判定するための情報として用いている。これにより、セットトップボックス３１１からのコンテンツをモバイル端末３１４で視聴する場合についても、確度の高い利用時間を集計できる。
【０１１６】
また、本実施形態では、実際に映像を出力していた機器が、テレビ機器３１２であるのか、モバイル端末３１４であるのか、またはそれらの機種名を正確に取得することができる。これにより、ユーザがテレビ視聴に利用している機器とその利用傾向を把握することができ、ユーザが本当に利用している機器の動向をタイムリーに把握し、新サービスを提供することができる。
【０１１７】
本実施形態例は、リアルタイムの放送番組を、モバイル端末３１４へ配信する場合だけでなく、録画済み番組を、モバイル端末３１４に配信する場合も適用可能である。また、本実施形態では、宅内ネットワークでの配信事例を示したが、宅内だけでなく、例えばＤＴＣＰ−ＩＰリモートアクセスを用いる場合等、モバイル端末が宅外にある場合においても、同様に適用可能である。
【０１１８】
本発明は、上述した実施形態に限定されるものではなく、この発明の要旨を逸脱しない範囲内で様々な変形や応用が可能である。
【符号の説明】
【０１１９】
１１，１１１，２１１，３１１：セットトップボックス
１２，１１２，２１２，３１２：テレビ機器
１３，１１３，２１３，３１３：視聴状況測定サーバ
２１，１２１，２２１，３２１：チューナ部
２２，１２２，２２２，３２２：選局制御部
２３，１２３，２２３，３２３：視聴履歴収集部
２４，１２４，２２４，３２４：映像出力ポート
２５，１２５，２２５，３２５：接続機器情報取得部
２６，１２６，２２６，３２６：視聴ログ作成部
２７，１２７，２２７，３２７：電源情報取得部
２９，１２９，２２９，３２９：視聴履歴送信部
４１，１４１，２４１，３４１：視聴履歴情報受信部
４２，１４２，２４２，３４２：視聴開始・終了時間算出部
４３，１４３，２４３，３４３：視聴状況集計部
４４，１４４，２４４，３４４：視聴状況測定結果保存部
【図１】
0005950957.tif 000002
【図２】
0005950957.tif 000003
【図３】
0005950957.tif 000004
【図４】
0005950957.tif 000005
【図５】
0005950957.tif 000006
【図８】
0005950957.tif 000007
【図９】
0005950957.tif 000008
【図１０】
0005950957.tif 000009
【図１１】
0005950957.tif 000010
【図１２】
0005950957.tif 000011
【図１３】
0005950957.tif 000012
【図１４】
0005950957.tif 000013
【図１５】
0005950957.tif 000014
【図１６】
0005950957.tif 000015
【図１７】
0005950957.tif 000016
【図１８】
0005950957.tif 000017
【図１９】
0005950957.tif 000018
【図６】
0005950957.tif 000019
【図７】
0005950957.tif 000020